(57)【特許請求の範囲】
【請求項１】
吐水口への給水路を開閉する自己保持型の電磁弁と、
前記電磁弁の開駆動及び閉駆動のアクティブ／非アクティブを制御する駆動部と、
前記駆動部に対して前記電磁弁の開閉を指令する制御部と、
前記電磁弁と前記駆動部と前記制御部とに電源を供給する電源部と、
前記電源部における電源の遮断を検出する電源遮断検出部と、
を有し、
前記制御部は、第１信号ラインに出力する開指令及び第２信号ラインに出力する閉指令のアクティブ／非アクティブを、物体を検出するセンサの検出結果に応じて制御し、
前記駆動部は、前記第１信号ラインの開指令がアクティブの場合には、第３信号ラインを介して行う前記駆動部の開駆動をアクティブにして前記電磁弁を開弁し、前記第２信号ラインの閉指令がアクティブの場合には、第４信号ラインを介して行う前記駆動部を閉駆動をアクティブにして前記電磁弁を閉弁し、
前記電源遮断検出部は、電源の遮断を検出すると、前記第１信号ラインの開指令をアクティブに制御し、且つ、前記第３信号ラインの開駆動を非アクティブに制御することを特徴とする水栓システム。
【請求項２】
前記制御部は、前記第１信号ラインに非アクティブの開指令を出力中に、前記第１信号ラインにおけるアクティブの開指令を検知すると、前記第２信号ラインの閉指令をアクティブにすることを特徴とする請求項１に記載の水栓システム。
【請求項３】
前記制御部は、前記第１信号ラインに非アクティブの開指令を出力中に、前記第１信号ラインにおけるアクティブの開指令を検知すると、前記第２信号ラインの閉指令をアクティブにする前に所定処理を実行することを特徴とする請求項２に記載の水栓システム。
【請求項４】
前記電源遮断検出部は、電源の遮断を検知した後、当該電源の遮断が解消されたことを検出しても、当該電源の遮断が解消してから所定時間は、前記第１信号ラインをアクティブの開指令にする制御を継続し、且つ、前記第３信号ラインを非アクティブの開駆動にする制御を継続することを特徴とする請求項１〜請求項３の何れか１項に記載の水栓システム。
【請求項５】
前記第１信号ラインにおける開指令のアクティブ論理と、前記第３信号ラインにおける開駆動のアクティブ論理は、反転していることを特徴とする請求項１〜請求項４の何れか１項に記載の水栓システム。
【発明の詳細な説明】
【技術分野】
【０００１】
本発明は、電源部に対する電源の遮断を検出する電源遮断検出部を備える水栓システムに関する。
【背景技術】
【０００２】
自動水栓では、センサで人の手を検知して電磁弁を駆動することにより、吐止水を制御している。特に、ラッチ式電磁弁を採用した自動水栓は、開／閉動作の切り替えの際に瞬間的に電力を消費するのみであり、開または閉の状態を保持するのに電力を必要とする通常の電磁弁に比べて駆動電力が少なく、節電に効果がある。
【０００３】
しかしながら、ラッチ式電磁弁を採用した自動水栓は、吐水中に停電が発生すると開状態を保持してしまうため、停電中も吐水し続けることになる。このため、停電が発生した時は、電磁弁に閉通電を行って止水する必要がある。
【０００４】
特許文献１には、ラッチ式電磁弁を採用した自動水栓において、商用電源から生成したパルス信号に基づいて停電を検知したときに電磁弁を閉駆動する技術が開示されている。この技術によれば、商用電源から生成したパルス信号では商用電源が供給されている間はパルスが継続し、商用電源の供給が停止するとパルスも停止することを利用して、停電を検知し、電磁弁を閉駆動しているため、停電が発生した時に電磁弁に閉通電を行って止水することができる。
【０００５】
ところで、自動水栓の中には、使い勝手の向上のため、吐水口付近にセンサを配置しているものがある。この場合、センサを含む一連の信号処理部（以下、センサ部と記載する。）も吐水口付近に配置する事が望ましい。このようにすることで、微小なアナログ信号のセンサ出力に基づいてセンサ部が実行する検知判断処理において、外乱ノイズの影響を最小限に抑えられる。
【０００６】
このとき、電磁弁の駆動処理部や、商用電源から各種電源を生成する電源部、商用電源の停電を検出する停電検出部など（以下、コントローラ部と記載する。）は、電磁弁が配置されるカウンタの下や洗面台の壁の裏面といった、使用者の目に触れない場所に配置されることが一般的である。これにより、吐水口の収納スペースやデザイン性を向上し、電磁弁を安定駆動することができる。
【０００７】
そして、このようにセンサ部とコントローラ部とを分離して配置する場合、センサ部とコントローラ部の双方にマイクロコンピュータ等の制御主体を設けることが一般的であり、停電時における電磁弁の閉駆動処理は、通常、コントローラ部の側で完結させる方式となる。
【０００８】
この方式では、停電が発生したときに、センサ部の処理とは無関係にコントローラ部の側で電磁弁の閉駆動を実行する。ただし、停電後は、各部は電源部の備える電解コンデンサ等に蓄積していた電気エネルギーを利用して駆動されるため、センサ部の処理に比べて大きな電気エネルギーを消費する電磁弁の閉駆動が停電後すぐに実行されると、その後、一定以上の駆動電圧を必要とする構成を駆動する場合に支障が出る可能性がある。
【０００９】
例えば、自動水栓においては、センサ部が各種のパラメータ（使用者の使用状況、検知情報、周囲環境の情報など）を記憶・更新する機能を持っている場合があり、処理途中でセンサ部が停止したり供給電圧が駆動電圧以下になってセンサ部が異常動作したりすると、これらパラメータが不正常な状態になる可能性がある。
【００１０】
これは、情報を記憶させるメモリ等は最低駆動電圧が決まっており、先に電磁弁を駆動してしまうと、電解コンデンサの電圧がセンサ部の駆動電圧を下回る可能性があるからである。そして、センサ部のパラメータが不正常な状態になると、次に自動水栓が起動したときに、センサ部が異常動作するおそれがある。
【００１１】
そこで、停電が発生した時のシーケンスとしては、先に一定以上の駆動電圧を必要とするセンサ部の処理を完了させて、その後に電磁弁の閉駆動を実行することが望ましい。しかしながら、特許文献１の技術では、センサ部が停電状況を把握できないため、このシーケンスが保証されていなかった。
【００１２】
また、例えば、電源が瞬間的に遮断されてすぐに復帰する瞬停などの短時間の停電の場合は、電源の復帰を待てば電源リセットを回避することができるため、センサ部の処理や電磁弁の閉駆動を行わずに、システム全体をできるだけ低消費電力モードにして消費を抑えつつ、停電からの復帰を待つ方が良い場合がある。これにより、これまでメモリなどに記憶していた情報がリセット消去されずに済む。
【００１３】
しかしながら、特許文献１の技術では、センサ部が停電状況を把握できないため、停電が発生した時に、瞬停の場合に停電からの復帰を待つという停電にリンクした処理を行う事ができなかった。
【００１４】
一方、特許文献２には、センサ部が停電状況を把握する技術が開示されている。特許文献２においては、センサ部とコントローラ部とを２本の信号線で接続し、一方の信号線（以下、第１信号ラインと呼ぶ。）で電磁弁の開／閉を選択する信号を伝送し、他方の信号線で電磁弁に対する通電を指令する信号を伝送する。
【００１５】
そして、停電を検出すると、第１信号ラインを介してコントローラ部からセンサ部へと停電信号を出力することにより、停電の発生をセンサ部へ通知している。これにより、センサ部は停電の情報を把握することができ、上述したような特許文献１の課題を解決することが出来る。
【先行技術文献】
【特許文献】
【００１６】
【特許文献１】特開平６−１０８５０８号公報
【特許文献２】特開２００９−０８４７９２号公報
【発明の概要】
【発明が解決しようとする課題】
【００１７】
しかしながら、特許文献２の技術では、電磁弁の開／閉選択信号と停電信号の双方を、同じ第１信号ラインを介して伝送しているため、停電信号の論理の一方が、開／閉いずれかを選択するための選択信号の論理の一方と一致することになる。
【００１８】
ここで、「開」の選択信号の論理が停電信号の論理と一致する場合、吐水中に停電が発生した場合は吐水が継続されるだけであるが、止水中に停電が発生した場合は強制的に吐水が開始されてしまうという問題がある。
【００１９】
逆に、「閉」の選択信号の論理が停電信号の論理と一致する場合、止水中に停電が発生した場合は止水が継続されるだけであるが、吐水中に停電が発生した場合は強制的に止水される。この場合、停電時に強制的に止水すること自体は問題ないが、吐水状態から止水状態へ即座に切り替わることが問題である。
【００２０】
すなわち、電磁弁の駆動回路として一般的に用いられるＨ型のブリッジ回路では、電磁弁のコイルを負荷として駆動しており、電磁弁を開弁させための開通電状態から電磁弁を閉弁させための閉通電状態へ即座に切り替わると、駆動回路に貫通電流が流れる可能性がある。むろん、開通電状態から閉通電状態への切り替えを一定時間だけ遅延させるディレイ回路を設ければ貫通電流を防止できるが、その分コストアップするというデメリットがある。
【００２１】
また、「閉」の選択信号の論理が停電信号の論理と一致する場合は、吐水中に停電が発生した場合に、強制的に閉通電へ切替わることによりセンサ部の処理状態に関係なく閉通電が実行されてしまう。従って、センサ部が停電を検出できず、上述した電磁弁の閉駆動の実行前にセンサ部が行うべき処理をセンサ部において実行できないという課題が残る。
【００２２】
むろん、電磁弁の駆動信号とは別に、停電検出信号専用の信号線を設けることもできるが、その分コストがかかるし、センサ部にその配線接続部も必要になるため吐水口のデザイン性が落ちるというデメリットが有る。
【００２３】
本発明は、上記課題に鑑みてなされたもので、センサ部とコントローラ部とを分離して配置しつつ、センサ部側で電源の遮断が発生したことを検出可能とすることにより、デザイン性の低下やコストアップを招くことなく、電源の遮断が発生した時に電磁弁を閉駆動するタイミングをセンサ部の側で任意に制御可能な水栓システムを提供することにある。
【課題を解決するための手段】
【００２４】
本発明の態様の１つは、吐水口への給水路を開閉する自己保持型の電磁弁と、前記電磁弁の開駆動及び閉駆動のアクティブ／非アクティブを制御する駆動部と、前記駆動部に対して前記電磁弁の開閉を指令する制御部と、前記電磁弁と前記駆動部と前記制御部とに電源を供給する電源部と、前記電源部に対する電源の遮断を検出する電源遮断検出部と、を有し、前記制御部は、第１信号ラインに出力する開指令及び第２信号ラインに出力する閉指令のアクティブ／非アクティブを、物体を検出するセンサの検出結果に応じて制御し、前記駆動部は、前記第１信号ラインの開指令がアクティブの場合には、第３信号ラインを介して行う前記駆動部の開駆動をアクティブにして前記電磁弁を開弁し、前記第２信号ラインの閉指令がアクティブの場合には、第４信号ラインを介して行う前記駆動部を閉駆動をアクティブにして前記電磁弁を閉弁し、前記電源遮断検出部は、前記電源の遮断時には、前記第１信号ラインの開指令をアクティブに制御し、且つ、前記第３信号ラインの開駆動を非アクティブに制御する構成としてある。
【００２５】
当該構成において、前記制御部と前記駆動部の間に、第１信号ラインによる接続と第２信号ラインによる接続とを有し、前記駆動部と前記電磁弁との間に、第３信号ラインによる接続と第４信号ラインによる接続とを有しており、前記制御部は、前記第１信号ラインを介して前記駆動部にアクティブ又は非アクティブの開指令を出力し、前記第２信号ラインを介して前記駆動部にアクティブ又は非アクティブの閉指令を出力する。また、前記駆動部は、前記第３信号ラインを介して前記電磁弁にアクティブ又は非アクティブの開駆動を出力し、前記第４信号ラインを介して前記電磁弁にアクティブ又は非アクティブの閉駆動を出力する。
【００２６】
これにより、前記制御部は、前記センサの検出結果に応じて、前記第１信号ラインと前記第２信号ラインの２本の信号線を介して前記駆動部を駆動することが可能になり、ひいては、前記センサの検出結果に応じて前記駆動部を介して前記電磁弁を開閉することができる。
【００２７】
なお、アクティブな開指令とは、前記駆動部に対して電磁弁の開駆動を指令する信号であり、非アクティブな開指令とは、前記駆動部に対して電磁弁の開駆動を指令しない信号である。アクティブな閉指令とは、前記駆動部に対して電磁弁の閉駆動を指令する信号であり、非アクティブな閉指令とは、前記駆動部に対して電磁弁の閉駆動を指令しない信号である。
【００２８】
また、アクティブな開駆動とは、前記電磁弁を開弁させる駆動を指令する駆動信号であり、非アクティブな開駆動とは、前記電磁弁を開弁させる駆動を指令しない駆動信号である。アクティブな閉駆動とは、前記電磁弁を閉弁させる駆動を指令する駆動信号であり、非アクティブな閉駆動とは、前記電磁弁を閉弁させる駆動を指令しない駆動信号である。
【００２９】
また、前記制御部の行うアクティブな開指令とアクティブな閉指令は、いずれか一方のみが選択的且つ排他的に行われるものであるため、前記制御部の制御により前記駆動部が前記電磁弁に対して行うアクティブな開駆動とアクティブな閉駆動も同時に行われる事はなく、いずれか一方のみが選択的且つ排他的に行われる。
【００３０】
また、前記電源遮断検出部は、前記電源が遮断された時に前記第１信号ラインの開指令をアクティブに制御することにより、前記制御部に対して前記電源の遮断を通知している。
【００３１】
ここで、前記構成においては、前記駆動部に対して開閉を指令する信号ラインを、開指令を出力するための前記第１信号ラインと、閉指令を出力するための前記第２信号ラインとで別の伝送ラインにしてある。このため、前記第１信号ラインには、開閉を指令する信号のうちの一方の信号である開指令についてのアクティブ／非アクティブのみを伝送することになる。これにより、前記第１信号ラインにおけるアクティブ／非アクティブの比率は、アクティブの比率が圧倒的に低くなっている。
【００３２】
従って、前記制御部がアクティブの開指令を出力中に、前記電源遮断検出部が前記第１信号ラインの開指令をアクティブに制御する可能性は低く、前記制御部は、強制的に前記第１の信号ラインがアクティブの開指令になったことを検知しやすくなる。また、仮に、前記制御部がアクティブの開指令を出力中に、前記電源遮断検出部が前記第１信号ラインの開指令をアクティブに制御しても、前記制御部は、前記制御部によるアクティブの開指令の出力が終了し次第、電源の遮断を把握することが出来る。
【００３３】
このように、前記電源遮断検出部は、前記第１信号ラインにおけるアクティブの開指令を利用して電源の遮断を前記制御部に通知するようになっており、これにより、前記制御部は、少ない配線数で迅速に電源の遮断を検知できる。
【００３４】
また、前記電源遮断検出部は、前記電源の遮断時には、前記第３信号ラインの開駆動を非アクティブに制御する。よって、前記電源の遮断時に、前記制御部が前記第１信号ラインにアクティブの開指令を出力していてもこれを無効化出来る。また、前記電源の遮断時には、前記電源遮断検出部が前記第１信号ラインをアクティブの開指令に制御し、これにより前記駆動部が前記第３信号ラインにアクティブの開駆動を出力することになるが、これも無効化できる。このように、前記電源の遮断の直後における電源の電磁弁の駆動を停止できるため、電源が遮断された直後の電力消費を極力抑えることができる。
【００３５】
さらに、以上の構成においては、上述したように、前記駆動部に対して開閉を指令する信号ラインを、開指令を出力するための前記第１信号ラインと、閉指令を出力するための前記第２信号ラインとで別の伝送ラインにしてある。これにより、開指令と閉指令を個別に制御することが可能であり、又、開駆動と閉駆動を個別に制御することが可能である。
【００３６】
すなわち、電源遮断検出部が前記電源部における電源の遮断を前記制御部に通知する信号ラインとして、開指令を出力するための前記第１信号ラインを用いれば、前記第２信号ラインを用いて、別途に、閉指令の出力タイミングを制御することが出来るようになる。
【００３７】
同様に、電源遮断検出部が前記電源部における電源の遮断を検知した時は、即座に閉駆動を行うのではなく、前記第３信号ラインの開駆動を非アクティブに制御することにより、可及的速やかに開駆動を停止しつつも、閉駆動については、前記制御部が任意のタイミングで第２信号ラインを介して閉指令を出力して行うことができる。
【００３８】
すなわち、電源の遮断を検知した時は、電磁弁の開動作については可及的速やかに停止させつつ、電源の遮断を前記制御部に通知することにより、電磁弁の閉動作を行うタイミングについては、前記制御部が制御することが出来ることとなる。このとき、前記制御部は、状況に応じて、前記センサや前記制御部を、低消費電力モードに切り替えることも可能であるし、あえて前記電磁弁を閉弁させずに電源の復帰を待つ事も出来る。
【００３９】
また、前記駆動部が前記電磁弁を駆動する回路構成として、開駆動の直後に閉駆動を行うと貫通電流が流れるものを採用している場合であっても、前記電磁弁を閉弁するタイミングを前記制御部が適宜に調整することにより貫通電流を防止することができる。
【００４０】
＜請求項２＞
本発明の選択的な態様の１つにおいて、前記制御部は、前記第１信号ラインに非アクティブの開指令を出力中に、前記第１信号ラインの開指令のアクティブを検知すると、前記第２信号ラインの閉指令をアクティブにする構成としてある。
【００４１】
このように、前記制御部は、電源の遮断を検知した時に、前記第２信号ラインの閉指令をアクティブにすることにより、前記電磁弁を閉弁する処理を行う。これにより、電源が遮断されたときに、前記制御部が前記電磁弁を閉弁するタイミングを制御することが出来るようになる。
【００４２】
＜請求項３＞
本発明の選択的な態様の１つにおいて、前記制御部は、前記第１信号ラインに非アクティブの開指令を出力中に、前記第１信号ラインにおけるアクティブの開指令を検知すると、前記第２信号ラインの閉指令をアクティブにする前に所定処理を実行する。
【００４３】
このように、電源の遮断を検知した時には、前記第２の信号ラインにアクティブの閉指令を出力して前記電磁弁を閉弁する前に、所定処理を実行するようにしてある。この所定処理としては、例えば、前記制御部において実行中の各種処理に必要なパラメータを不揮発性メモリなどに退避させる処理、水栓システムの各部を停止させたりする処理、前記センサによる検出動作を停止させる処理、等がある。
【００４４】
例えば、前記所定処理として、前記制御部において実行中の各種処理に必要なパラメータを不揮発性メモリなどに退避させる処理を実行することにより、電源が復帰して再起動したときに前記制御部や水栓システムの各部が正常動作できるようになる。
【００４５】
また、例えば、前記所定の処理として、水栓システムの各部を停止させる処理や前記センサによる検出動作を停止させる処理を行うことにより、電源が復帰して再起動したときに前記制御部や水栓システムの各部が正常動作できるようになったり、不要な構成を迅速に停止させることで無駄な電力消費を抑えたりすることが可能となる。そして、無駄な電力消費を抑えることにより、電磁弁を閉弁させるための電力や、制御部を正常終了させるためのデータ退避などを含む各種処理に必要な電力を確保することが出来る。
【００４６】
＜請求項４＞
本発明の選択的な態様の１つにおいて、前記電源遮断検出部は、電源の遮断を検知した後、当該電源の遮断が解消されたことを検出しても、当該電源の遮断が解消してから所定時間は、前記第１信号ラインをアクティブの開指令にする制御を継続し、且つ、前記第３信号ラインを非アクティブの開駆動にする制御を継続する。
【００４７】
このように構成することにより、前記制御部がアクティブな開指令を前記第１信号ラインに出力しているときに、いわゆる瞬停が発生したとしても、前記制御部はこれを確実に把握することが出来る。なお、所定時間は、前記制御部が前記電磁弁を開弁させるために前記第１信号ラインにアクティブな開指令を出力する期間よりも長くすることが望ましい。
【００４８】
＜請求項５＞
本発明の選択的な態様の１つにおいて、前記第１信号ラインにおける開指令のアクティブ論理と、前記第３信号ラインにおける開駆動のアクティブ論理は、反転した構成としてある。
【００４９】
上述したように、前記電源遮断検出部は、電源の遮断を検出したとき、前記第１信号ラインをアクティブの開指令に制御し、前記第３信号ラインを非アクティブの開駆動に制御する。すなわち、前記電源遮断検出部は、電源の遮断を検出したときに、前記第１信号ラインと前記第３信号ラインを逆の論理状態に制御する事になる。
【００５０】
ここで、前記第１信号ラインと前記第３信号ラインとでアクティブ論理が逆の論理関係になるようにしておけば、例えば、アクティブの開指令の論理がローレベルの場合に、非アクティブの開駆動の論理もローレベルになる。これにより、前記電源遮断検出部は、電源の遮断を検出したとき、前記第１信号ラインと前記第３信号ラインの双方を同じ論理信号（例えば同じローレベル）に制御すれば済む。よって、前記電源遮断検出部の構成を簡素化できる。
【００５１】
なお、以上説明した水栓システムは、他の機器に組み込まれた状態で実施されたり他の方法とともに実施されたりする等の各種の態様を含む。また、本発明は、上述した水栓システムの構成に対応した工程を有する駆動方法、上述した水栓システムの構成に対応した機能をコンピュータに実現させる駆動プログラム、該駆動プログラムを記録したコンピュータ読み取り可能な記録媒体、等としても実現可能である。これら駆動方法、駆動プログラム、該駆動プログラムを記録した媒体、の発明も、上述した作用、効果を奏する。
【発明の効果】
【００５２】
請求項１及び請求項６に係る発明によれば、センサ部とコントローラ部とを分離して配置しつつ、センサ部側で電源の遮断が発生したことを検出可能とすることにより、デザイン性の低下やコストアップを招くことなく、電源の遮断が発生した時に行われる電磁弁の閉駆動のタイミングをセンサ部の側で制御することが可能となる。
【００５３】
請求項２に係る発明によれば、電源が遮断されたときに、前記制御部が前記電磁弁を閉弁するタイミングを制御することが出来るようになる。
請求項３に係る発明によれば、電源が復帰して水栓システムが再起動したときにおける前記制御部や水栓システムの各部における正常動作を確保することが出来る。また、電源の遮断を検知した時に、停止してもよい構成を迅速に停止させることで無駄な電力消費を防止し、電磁弁を閉弁させるための電力や、制御部を正常終了させるためのデータ退避などを含む各種処理に必要な電力を確保することが出来る。
請求項４に係る発明によれば、前記制御部がアクティブな開指令を前記第１信号ラインに出力しているときに、いわゆる瞬断が発生したとしても、前記制御部が、前記瞬断の発生を確実に把握することが出来る。
請求項５に係る発明によれば、前記電源遮断検出部の構成を簡素化できる。
【図面の簡単な説明】
【００５４】
【図１】水栓システムの外観的な構成の概略を断面的に示した図である。
【図２】水栓システムの電気的構成の概略を示すブロック図である。
【図３】水栓システムの回路構成の１例を示す要部回路図である。
【図４】電磁弁制御処理の流れを示すフローチャートである。
【図５】水栓システムの動作を説明するためのタイミングチャートである。
【図６】水栓システムの動作を説明するためのタイミングチャートである。
【図７】水栓システムの動作を説明するためのタイミングチャートである。
【図８】水栓システムの動作を説明するためのタイミングチャートである。
【図９】水栓システムの動作を説明するためのタイミングチャートである。
【図１０】水栓システムの動作を説明するためのタイミングチャートである。
【図１１】水栓システムの回路構成の他の例を示す要部回路図である。
【図１２】水栓システムの回路構成の他の例を示す要部回路図である。
【発明を実施するための形態】
【００５５】
以下、下記の順序に従って本発明の実施形態を説明する。
（１）第１実施形態の構成：
（２）電磁弁制御処理：
（３）第１実施形態の動作：
（４）水栓システムの回路構成の他の例：
（５）まとめ：
【００５６】
（１）第１実施形態の構成：
図１は、本実施形態に係る水栓システム１の概略を断面的に示した図である。水栓システム１は、対象物（人体や物体等）を検出して自動的な吐水を行うものであり、洗面台に備え付けられる洗面器２に対して吐水を行う。
【００５７】
洗面器２は、洗面カウンタ３の上面に設けられる。洗面カウンタ３上には、洗面器２のボール面２ａに対して水を吐出するためのスパウトを構成する水栓４が設けられる。水栓４は、水を吐出する吐水口４ａを有し、この吐水口４ａから吐出される水が洗面器２のボール面２ａ内に吐出されるように設けられる。
【００５８】
水栓４が吐水口４ａから吐出する水は、給水路５により供給される。給水路５は、水道管等の給水源から供給される水を吐水口４ａへと導く。洗面器２には、排水路６が接続されている。排水路６は、吐水口４ａから洗面器２のボール面２ａ内に吐水された水を排出する。
【００５９】
水栓システム１は、電磁弁７と、センサ部１１と、コントローラ部１２とを備える。センサ部１１とコントローラ部１２は分離されており、センサ部１１は水栓４の内部に収容され、電磁弁７及びコントローラ部１２は、洗面台の下側に収容される。
【００６０】
センサ部１１とコントローラ部１２は、接続ケーブル８で接続されている。コントローラ部１２は接続ケーブル８を介してセンサ部１１に電源電圧を供給し、センサ部１１は、接続ケーブル８を介してコントローラ部１２を制御する。
【００６１】
電磁弁７は、給水路５に設けられ、給水路５の開閉を行う。電磁弁７が開くと、給水路５から供給される水が吐水口４ａから吐出される吐水状態となり、電磁弁７が閉じると、給水路５から供給される水が吐水口４ａから吐出されない止水状態となる。
【００６２】
電磁弁７は、コントローラ部１２に接続されており、コントローラ部１２は、電磁弁７を駆動して開／閉動作を制御する。電磁弁７は、コントローラ部１２からの制御信号に従って電気的に制御され、給水路５の開閉を行う。このように、電磁弁７は、吐水口４ａから吐水される水の給水路５を開閉する給水バルブとして機能する。
【００６３】
電磁弁７は、いわゆるラッチングソレノイドバルブと称される自己保持型電磁弁であり、ソレノイドコイルへの一方向への通電によって閉状態から開状態に動作（開動作）し、その後ソレノイドコイルへの通電を遮断しても開状態を保持し、ソレノイドコイルへの他方向への通電によって開状態から閉状態に動作（閉動作）し、その後ソレノイドコイルへの通電を遮断しても閉状態を保持する。
【００６４】
センサ部１１は、吐水口４ａに接近する対象物（手など）を検出する。この吐水口４ａの吐水先が、センサ部１１の検知領域となる。センサ部１１は、伝播波を送信し、送信した伝播波を受けた人体等の対象物から反射した伝播波を受信することにより、対象物の位置や動き等を検出する。
【００６５】
なお、以下では、センサ部１１の伝播波として赤外線を例に取り説明を行うが、センサ部１１が用いる伝播波として、例えば、マイクロ波、ミリ波、超音波、光等を用いてもよいし、他の周波数の電波を伝播波に用いてもよい。また、マイクロ波を用いる場合は、センサ部１１としてマイクロ波ドップラーセンサを用いてもよい。
【００６６】
センサ部１１は、水栓４の吐水口４ａ近くの内部に設けられ、洗面台の使用者側（図１において左側）に向けて伝播波を送信するように配置される。これにより、センサ部１１は、吐水口４ａに人体が近づいてきたことや、吐水口４ａに近づいた人体から吐水口４ａに向けて手が差し出されたこと等を検出することができる。
【００６７】
センサ部１１は、コントローラ部１２に接続される。コントローラ部１２は、センサ部１１の出力する信号を入力されており、この信号に基づいて対象物の位置や動き等を検知する。そして、その検知結果に基づいて電磁弁７を制御する。
【００６８】
コントローラ部１２は、センサ部１１の出力する信号に基づいて電磁弁７の開／閉動作を制御する。このため、コントローラ部１２には、センサ部１１からの出力信号が入力される。また、コントローラ部１２は、電磁弁７に対して制御信号を出力する。
【００６９】
以上のように、本実施形態の水栓システム１は、電磁弁７と、センサ部１１と、コントローラ部１２とを備え、センサ部１１が検出信号に基づいてコントローラ部１２を制御することにより、電磁弁７の開／閉動作を制御する。これにより、吐水口４ａに接近する対象物の検出結果（洗面台の使用者の動き等）に応じた吐水を行う。
【００７０】
次に、本実施形態の水栓システム１の電気的構成について具体的な回路例を挙げつつ説明する。図２は、本実施形態の水栓システム１の電気的構成の概略を説明するためのブロック図であり、図３は、本実施形態の水栓システム１の回路構成の１例を示す要部回路図である。
【００７１】
図２に示すように、センサ部１１は、センサ１１１及び制御部１１２を備えており、コントローラ部１２は、駆動部を構成する駆動制御部１２１、弁駆動回路１２２、電源遮断検出部１２３、及び電源部を構成する電源回路１２４を備えている。
【００７２】
センサ１１１は、赤外線を投光する投光素子、赤外線を受光する受光素子、及び物体検知処理部を備えている。物体検知処理部は、投光素子や受光素子の投光及び受光タイミングを制御したり、受光素子の受光した光信号に基づく物体検知を行ったりする。物体検知処理部は、対象物を検知すると検知信号を制御部１１２に出力する。
【００７３】
制御部１１２は、例えば、ＣＰＵ（Ｃｅｎｔｒａｌ  Ｐｒｏｃｅｓｓｉｎｇ  Ｕｎｉｔ）やメモリ、入出力インターフェイス等の各種機能部分を備え、これら各種機能部分が、データ通信用のバス等により互いに通信可能に接続されている。
【００７４】
制御部１１２は、入出力インターフェイスとして、少なくとも、駆動制御部１２１に対して開指令信号Ｓ１を入出力するための入出力インターフェイスと、閉指令信号Ｓ２を入出力するための入出力インターフェイスを有する。
【００７５】
制御部１１２は、メモリとして、少なくとも、ＣＰＵが演算処理を行う際にワークエリアとして利用するメモリと、各種の情報を記憶するための不揮発性メモリと、ＣＰＵが水栓システム１を制御するために実行する制御プログラムを記憶するためのメモリと、を有する。これらメモリは、別々に用意してもよいし、単一のメモリを共用してもよい。
【００７６】
センサ部１１とコントローラ部１２とは、所定の接続ケーブルで接続されている。当該所定の接続ケーブルは、コントローラ部１２がセンサ部１１へ供給する電源を伝送するための電源ラインＬ５とＧＮＤラインＬ６、及び、センサ部１１がコントローラ部１２へ出力する開指令信号Ｓ１を伝送するための第１信号ラインＬ１と閉指令信号Ｓ２を伝送するための第２信号ラインＬ２、の計４本の信号線により構成されている。
【００７７】
制御部１１２の出力する開指令信号Ｓ１は、第１信号ラインＬ１を介して駆動制御部１２１に入力され、制御部１１２の出力する閉指令信号Ｓ２は、第２信号ラインＬ２を介して駆動制御部１２１に入力される。
【００７８】
なお、開指令信号Ｓ１とは、電磁弁７を開弁するための開駆動の実行を駆動制御部１２１に対して指令するための信号であり、閉指令信号Ｓ２とは、電磁弁７を閉弁するための閉駆動の実行を駆動制御部１２１に対して指令するための信号である。
【００７９】
また、駆動制御部１２１は、第３信号ラインＬ３及び第４信号ラインＬ４を介して弁駆動回路１２２と接続されている。第３信号ラインＬ３は、駆動制御部１２１と弁駆動回路１２２との間で開駆動信号Ｓ３を伝送する信号ラインであり、第４信号ラインＬ４は、駆動制御部１２１と弁駆動回路１２２との間で閉駆動信号Ｓ４を伝送する信号ラインである。
【００８０】
なお、開駆動信号Ｓ３とは、電磁弁７を開弁するための開弁動作の実行を弁駆動回路１２２に対して指令するための信号であり、閉駆動信号Ｓ４とは、電磁弁７を閉弁するための閉弁動作を弁駆動回路１２２に対して指令するための信号である。
【００８１】
なお、以下では、これら信号Ｓ１〜Ｓ４の出力状態は、アクティブ／非アクティブという語を用いて説明する。アクティブな開指令信号Ｓ１とは、駆動制御部１２１に対して電磁弁７の開駆動を指令する信号を意味し、非アクティブな開指令信号Ｓ１とは、駆動制御部１２１に対して電磁弁７の開駆動を指令しない信号を意味する。また、アクティブな閉指令信号Ｓ２とは、駆動制御部１２１に対して電磁弁７の閉駆動を指令する信号を意味し、非アクティブな閉指令信号Ｓ２とは、駆動制御部１２１に対して電磁弁７の閉駆動を指令しない信号を意味する。
【００８２】
また、アクティブな開駆動信号Ｓ３とは、電磁弁７を開弁させる駆動を指令する駆動信号を意味し、非アクティブな開駆動信号Ｓ３とは、電磁弁７を開弁させる駆動を指令しない駆動信号を意味する。また、アクティブな閉駆動信号Ｓ４とは、電磁弁７を閉弁させる駆動を指令する駆動信号を意味し、非アクティブな閉駆動信号Ｓ４とは、電磁弁７を閉弁させる駆動を指令しない駆動信号を意味する。
【００８３】
駆動制御部１２１は、弁駆動回路１２２の開駆動を制御する開駆動制御回路１２１ａと、弁駆動回路１２２の閉駆動を制御する閉駆動制御回路１２１ｂとを備える。開駆動制御回路１２１ａは、制御部１１２から入力される開指令信号Ｓ１に基づいて開駆動信号Ｓ３を生成して弁駆動回路１２２に出力する閉駆動制御を行う。閉駆動制御回路１２１ｂは、制御部１１２から入力される閉指令信号Ｓ２に基づいて閉駆動信号Ｓ４を生成して弁駆動回路１２２に出力する閉駆動制御を行う。
【００８４】
開駆動制御回路１２１ａは、例えば、開指令信号Ｓ１をアクティブローの論理信号とし、開駆動信号Ｓ３をアクティブハイの論理信号とした場合、開指令信号Ｓ１の論理を反転した信号を生成して出力する回路で構成することが出来る。図３には、このような回路の一例として、論理を反転した信号を生成して出力するトランジスタ回路を例示してある。
【００８５】
図３に示す例では、開駆動制御回路１２１ａは、弁駆動回路１２２がＨ型のブリッジ回路であるため、Ｎ型のＦＥＴとＰ型のＦＥＴを駆動することにより電磁弁７のソレノイドコイルの開方向（後述）に電流を流すようになっている。このため、Ｎ型のＦＥＴのゲートには、開駆動信号Ｓ３をそのまま印加しているが、Ｐ型のＦＥＴのゲートには、開駆動信号Ｓ３の論理を反転回路にて論理反転させた電圧を印加するようになっている。
【００８６】
このように、開指令信号Ｓ１のアクティブ論理と開駆動信号Ｓ３のアクティブ論理とでハイ／ロー反転した構成としておくことにより、電源遮断検出部１２３が後述のように第１信号ラインＬ１と第３信号ラインＬ３を制御する際に、双方にローレベルの論理信号を出力すれば済むようになる。これにより、開駆動制御回路の回路構成を簡素化することができる。
【００８７】
閉駆動制御回路１２１ｂは、例えば、閉指令信号Ｓ２をアクティブローの論理信号とし、閉駆動信号Ｓ４をアクティブハイの論理信号とした場合、閉指令信号Ｓ２の論理を反転した信号を生成して出力する回路で構成することが出来る。図３には、このような回路の一例として、論理を反転した信号を生成して出力するトランジスタ回路を例示してある。
【００８８】
図３に示す例では、閉駆動制御回路１２１ｂは、弁駆動回路１２２がＨ型のブリッジ回路であるため、Ｎ型のＦＥＴとＰ型のＦＥＴを駆動することにより電磁弁７のソレノイドコイルの閉方向（後述）に電流を流すようになっている。このため、Ｎ型のＦＥＴのゲートには、閉駆動信号Ｓ４をそのまま印加しているが、Ｐ型のＦＥＴのゲートには、閉駆動信号Ｓ４の論理を反転回路にて論理反転させた電圧を印加するようになっている。
【００８９】
なお、ここで説明した開指令信号Ｓ１と開駆動信号Ｓ３の論理関係、及び閉指令信号Ｓ２と閉駆動信号Ｓ４の論理関係は一例であり、本発明の要旨を逸脱しない範囲で様々に変更可能であることは言うまでも無い。
【００９０】
弁駆動回路１２２は、第３信号ラインＬ３を介して開駆動信号Ｓ３を入力されると電磁弁７を開弁するための開駆動を行い、第４信号ラインＬ４を介して閉駆動信号Ｓ４を入力されると電磁弁７を閉弁させるための閉駆動を行う。これにより、弁駆動回路１２２は、電磁弁７の開／閉状態を、駆動制御部１２１の開閉駆動に応じた状態に変更し、ひいては制御部１１２の開閉指令に応じた状態に変更する事が出来る。
【００９１】
図３において、弁駆動回路１２２は、４つのトランジスタ（図では電界効果トランジスタ）を用いたＨ型のブリッジ回路により、電磁弁７のソレノイドコイルを負荷として駆動する構成になっている。なお、Ｈ型のブリッジ回路には、誘導性負荷であるソレノイドコイルの逆起電力対策として、各トランジスタと並列にダイオードを配置してある。
【００９２】
この弁駆動回路１２２は、駆動制御部１２１から入力される開駆動信号Ｓ３によって電磁弁７のラッチングソレノイドのソレノイドコイルに一方向（開方向）の電流を流し、駆動制御部１２１から入力される閉駆動信号Ｓ４によって電磁弁７のラッチングソレノイドのソレノイドコイルに他方向（閉方向）の電流を流す。これにより、電磁弁７は、ソレノイドコイルに流れる電流の方向に応じた開／閉動作を行い、給水路５を開閉する。
【００９３】
電源回路１２４は、ＡＣ／ＤＣコンバータの構成とされ、商用電源等の外部電源から入力される交流電源ＡＣを用いて所望の電圧の直流電源を生成する。図３に示す回路では、スイッチングトランス１２４ａが交流電源ＡＣから生成する二次電圧をダイオードブリッジ回路１２４ｂと平滑コンデンサ１２４ｃを用いて整流・平滑することにより直流電源を生成する。このようにして生成された直流電源は、水栓システム１を構成する各部に供給される。
【００９４】
また、センサ部１１に供給する電圧は、平滑後の直流電源をレギュレータ１２４ｄにて所望の電圧に調整してある。これにより、制御部１１２を構成するＣＰＵ等は、安定した駆動電圧を得ることが出来る。
【００９５】
なお、平滑コンデンサ１２４ｃは、電源が遮断された直後に、少なくとも、電磁弁７の閉駆動を１回行うのに十分な電荷を蓄積している。これにより、電源が遮断された後であっても、一定時間の間は、電磁弁７の閉駆動を行う事が出来るようになっている。また、電源が遮断された直後の平滑コンデンサ１２４ｃの電圧は、少なくとも、制御部１１２の駆動電圧以上になっている。これにより、電源が遮断された後も一定時間の間は、平滑コンデンサ１２４ｃによって制御部１１２へ駆動電圧が供給されることとなる。
【００９６】
ただし、電磁弁７の駆動に平滑コンデンサ１２４ｃの電気エネルギーを用いると、平滑コンデンサ１２４ｃにおける電圧が低下して、平滑コンデンサ１２４ｃによって供給される電圧が制御部１１２の駆動電圧を下回る可能性がある。そこで、本実施形態においては、電源遮断検出部１２３を設けて電磁弁制御処理を行うことにより、このような状況を回避できるようになっている。
【００９７】
電源遮断検出部１２３は、電源回路１２４の電源状態を監視しており、電源回路１２４において電源が遮断されたことを検知すると、制御部１１２に対して電源が遮断されたことを通知するための遮断検出出力を行う。
【００９８】
なお、ここで言う電源の遮断とは、電力会社からの商用電源自体の供給が停止したり、ブレーカの遮断動作によって本装置への商用電源の供給が停止したりするといった、一般的に言う停電を含むことはもちろん、商用電源のコンセントから本装置のプラグが抜けることで本装置に対するＡＣ電源の供給が停止する場合や、電源回路１２４の不具合により電源回路１２４から電源電圧が出力されなくなる場合も含む。ただし、上述したように、電源が遮断されたときも、平滑コンデンサ１２４ｃから水栓システム１の各部への電源供給は行われる。
【００９９】
図３において、電源遮断検出部１２３は、電源回路１２４のスイッチングトランス１２４ａの二次巻線の出力端子Ｔ１に接続されている。電源遮断検出部１２３は、この出力端子Ｔ１の電圧を監視し、出力端子Ｔ１の電圧（実際には、出力端子Ｔ１の電圧を、後述の電解コンデンサ１２３ｂ４にて平滑した電圧）が所定電圧よりも高い場合は遮断検出出力を行わず、出力端子Ｔ１の電圧が所定電圧を下回ると遮断検出出力を行う。
【０１００】
より具体的には、図３に示すように、電源遮断検出部１２３は、第１端子１２３ａ１と第２端子１２３ａ２を有するロジックＩＣ１２３ａを備えている。ロジックＩＣ１２３ａの第１端子１２３ａ１には、ＮＰＮ型のトランジスタ１２３ｂ１のコレクタが接続されている。このトランジスタ１２３ｂ１は、コレクタが定電圧源に接続され、エミッタがグランドに接続され、エミッタとベースが保護抵抗１２３ｂ２により接続されている。
【０１０１】
また、トランジスタ１２３ｂ１のベースには、分割抵抗にて構成される分圧回路１２３ｂ３によって出力端子Ｔ１の電圧を所定割合に分圧した電圧が入力されている。この分圧回路１２３ｂ３においては、分割抵抗の低電圧側の抵抗に対して並列に電解コンデンサ１２３ｂ４が接続されており、分圧回路１２３ｂ３が分圧した電圧を平滑している。すなわち、電解コンデンサ１２３ｂ４は、分圧回路１２３ｂ３が分圧した電圧から交流電源ＡＣの周期成分を除去している。
【０１０２】
以上のように構成された電源遮断検出部１２３は、電源回路１２４の出力端子Ｔ１の電圧が所定電圧よりも高い場合、トランジスタ１２３ｂ１のベースに入力する電圧が当該トランジスタ１２３ｂ１のターンオン電圧より大きくなるため第１端子１２３ａ１にローレベルの電圧信号を入力し、電源回路１２４の出力端子Ｔ１の電圧が所定電圧を下回ると、トランジスタ１２３ｂ１のベースに入力する電圧が当該トランジスタ１２３ｂ１のターンオン電圧より小さくなるため第１端子１２３ａ１にハイレベルの電圧信号を入力する。
【０１０３】
このとき、ロジックＩＣ１２３ａは、第１端子１２３ａ１に対してローレベルの電圧信号が入力されている間は、第２端子１２３ａ２からハイレベルの電圧を出力し、第１端子１２３ａ１に対してハイレベルの電圧信号が入力されると第２端子１２３ａ２からローレベルの電圧を出力する。
【０１０４】
すなわち、電源回路１２４の電源が遮断されていない時は、第１端子１２３ａ１にローレベルの電圧信号が入力されるため、ロジックＩＣ１２３ａは第２端子１２３ａ２からハイレベルの電圧を出力し、電源回路１２４の電源が遮断されると、第１端子１２３ａ１にハイレベルの電圧信号が入力されるため、ロジックＩＣ１２３ａは第２端子１２３ａ２からローレベルの電圧を出力する。
【０１０５】
ロジックＩＣ１２３ａの第２端子１２３ａ２には、ローレベルの論理信号からローレベルの電圧信号を生成するための変換回路１２３ｃが接続されている。この変換回路１２３ｃは、第１信号ラインＬ１と第３信号ラインＬ３にも接続されている。変換回路１２３ｃは、第２端子１２３ａ２からハイレベルの論理信号を入力されている間は何も出力せず、第２端子１２３ａ２からローレベルの論理信号を入力されると、ローレベルの論理信号を生成して第１信号ラインＬ１と第３信号ラインＬ３とに出力する。
【０１０６】
このように、電源遮断検出部１２３は、電源の遮断を検出したときに、第１信号ラインＬ１をアクティブに制御するとともに第３信号ラインＬ３を非アクティブに制御するが、実際には、第１信号ラインＬ１と第３信号ラインＬ３を同じローレベルの論理状態に制御する。これは、本実施形態において、第１信号ラインＬ１における開指令信号Ｓ１のアクティブ論理と、第３信号ラインＬ３における開駆動信号Ｓ３のアクティブ論理を反転した構成としてあるためである。このような論理関係を採用することにより、電源遮断検出部１２３の構成を簡素化できる。
【０１０７】
むろん、第１信号ラインＬ１における開指令信号Ｓ１のアクティブ論理と、第３信号ラインＬ３における開駆動信号Ｓ３のアクティブ論理を共通にしてもよく、この場合は、電源の遮断時に、第１信号ラインＬ１と第３信号ラインＬ３とを、反転した論理状態に制御することになる。
【０１０８】
なお、ロジックＩＣ１２３ａは、遅延回路１２３ａ３を内蔵しており、電源遮断検出部１２３が電源の遮断を検出したときに第２端子１２３ａ２から出力するローレベルの論理信号を、所定時間だけ延長して出力する機能を有する。すなわち、電源回路１２４の電源が遮断されて第２端子１２３ａ２からローレベルの論理信号の出力を開始すると、その後、電源の遮断が解消しても、所定時間が経過するまで第２端子１２３ａ２からローレベルの論理信号の出力を継続する。
【０１０９】
この所定時間は、制御部１１２が電磁弁７を開弁させるために実行する吐水制御に要する時間よりも十分に長い時間に設定されている。例えば、電磁弁７のソレノイドが閉状態から開状態に変化するのに十分な時間が約２０ｍｓである場合には、吐水制御に要する時間は、これに応じて例えば約２０ｍｓとなる、このとき、遅延回路１２３ａ３によって延長される所定時間は、この２０ｍｓよりも十分に長い、例えば１００ｍｓ等に設定される。
【０１１０】
これにより、制御部１１２が第１信号ラインＬ１にアクティブの開指令信号Ｓ１（ローレベル）を出力している期間に、電源遮断検出部１２３が遮断検出出力を行った場合であっても、制御部１１２が第１信号ラインＬ１に対するアクティブの開指令信号Ｓ１の出力を終了した後まで第１信号ラインＬ１をローレベルに維持する。
【０１１１】
すなわち、吐水制御中に電源の遮断が発生した場合であっても、電源遮断検出部１２３は、制御部１１２が吐水制御を終了するまで第１信号ラインＬ１をアクティブに維持する事になる。これにより、電源の遮断が発生した時に、制御部１１２に電源の遮断を確実に通知し、制御部１１２が、電源の遮断の発生を確実に検知する事が出来る。
【０１１２】
なお、上述した例では、ロジックＩＣ１２３ａは、出力端子Ｔ１の平均的な電圧レベルに基づいて電源遮断の有無を検知していたが、出力端子Ｔ１の電圧における周期成分の有無に基づいて電源遮断の有無を検知する事も出来る。交流電源ＡＣの入力が遮断されていないときは、出力端子Ｔ１の電圧には周期成分が残存しており、交流電源ＡＣの入力が遮断されると、出力端子Ｔ１の電圧から周期成分が無くなるからである。
【０１１３】
具体的には、図３に示す電解コンデンサ１２３ｂ４を削除するか、又は図３に示す電解コンデンサ１２３ｂ４をセラミックコンデンサで置き換える。そして、トランジスタ１２３ｂ１のターンオン電圧を、分圧回路１２３ｂ３が分圧した電圧の変動範囲内（理想的には、変動範囲の平均値）に調整する。これにより、電源回路１２４の電源が遮断されていない時は、第１端子１２３ａ１に周期的な矩形波が入力され、電源回路１２４の電源が遮断されると、第１端子１２３ａ１に周期的な矩形波が入力されなくなる。
【０１１４】
ここで、ロジックＩＣ１２３ａは、第１端子１２３ａ１に対して周期的な矩形波が入力されている間は、第２端子１２３ａ２からハイレベルの電圧を出力し、第１端子１２３ａ１に対して周期的な矩形波が入力されなくなると第２端子１２３ａ２からローレベルの電圧を出力する構成とする。
【０１１５】
これにより、電源回路１２４の電源が遮断されていない時は、第１端子１２３ａ１に周期的な矩形波が入力されるためロジックＩＣ１２３ａは第２端子１２３ａ２からハイレベルの電圧を出力し、電源回路１２４の電源が遮断されると、第１端子１２３ａ１に周期的な矩形波が入力されなくなるためロジックＩＣ１２３ａは第２端子１２３ａ２からローレベルの電圧を出力することができる。すなわち、出力端子Ｔ１の電圧における周期成分の有無に基づいて電源遮断の有無を検知する事が出来る。
【０１１６】
なお、図３に示す電解コンデンサ１２３ｂ４をセラミックコンデンサで置き換えた場合は、分圧回路１２３ｂ３の分圧した電圧から微小なノイズ成分が除去されるため、交流電源ＡＣの周波数を正確に反映した周期の矩形波を第１端子１２３ａ１に入力することができる。
【０１１７】
（２）電磁弁制御処理： 
次に、以上の構成を利用して行われる電磁弁の制御に係る処理を、図４を参照しつつ説明する。図４は、電磁弁制御処理の流れを示すフローチャートである。なお、電磁弁制御処理は、水栓システム１に対する電源供給が開始されると開始され、水栓システム１に対して正常な電源が供給されている間は、継続的に実行される。
【０１１８】
電磁弁制御処理が開始されると、制御部１１２は、開指令信号Ｓ１と閉指令信号Ｓ２を非アクティブとする（Ｓ１００）。これにより、電磁弁制御処理が開始された直後に電磁弁７の開／閉動作は行われず、電磁弁７は現在の開／閉状態を維持することになる。
【０１１９】
なお、本実施形態においては、水栓システム１の起動時には、電磁弁７は閉弁されている。本実施形態に係る電磁弁制御処理によれば、水栓システム１が停止する前に電磁弁７が確実に閉弁されているためである。従って、ステップＳ１００が行われる前後で電磁弁７は閉弁状態を維持することとなる。
【０１２０】
次に、制御部１１２は、センサ１１１を駆動して吐水口４ａ付近にある物体検知を行う（Ｓ１０５）。これにより、制御部１１２は、センサ１１１の検知領域内の物体の有無を検知することができる。
【０１２１】
次に、制御部１１２は、吐水口４ａから吐水中であるか否かを判断する（Ｓ１１０）。なお、制御部１１２は、吐水制御（Ｓ１２０）や止水制御（Ｓ１３０，Ｓ１５５）の実行状況をメモリに記憶しており、直前に吐水制御と止水制御のいずれを実行したか参照することにより、吐水中であるか止水中であるか判断することができる。
【０１２２】
ステップＳ１１０において吐水中と判断した場合は（Ｓ１１０：Ｙｅｓ）、次に、センサ１１１が物体を検知しているか否か判断する（Ｓ１２５）。ここで、ステップＳ１０５の物体検知により物体を検知していた場合は（Ｓ１２５：Ｎｏ）、ステップＳ１３０の止水制御をスキップして吐水状態を継続し、ステップＳ１０５の物体検知により物体を検知していなかった場合は（Ｓ１２５：Ｙｅｓ）、止水制御を実行して吐水を停止させる（Ｓ１３０）。
【０１２３】
止水制御は、第２信号ラインＬ２の閉指令信号Ｓ２をアクティブにした後、所定の待機時間の後、閉指令信号Ｓ２を非アクティブにすることにより行われる。この所定の待機時間としては、電磁弁７のソレノイドが開状態から閉状態に変化するのに十分な時間とし、例えば、電磁弁７のソレノイドが開状態から閉状態に変化するのに十分な時間が約２０ｍｓである場合には、前記所定の待機時間はこれに応じて例えば約２０ｍｓとする。
【０１２４】
ステップＳ１１０において止水中と判断した場合（Ｓ１１０：Ｎｏ）、次に、センサ１１１が物体を検知しているか否か判断する（Ｓ１１５）。ここで、ステップＳ１０５の物体検知により物体を検知していた場合は（Ｓ１１５：Ｙｅｓ）、吐水制御を実行して吐水を開始させ（Ｓ１２０）、ステップＳ１０５の物体検知により物体を検知していなかった場合は（Ｓ１１５：Ｎｏ）、ステップＳ１２０の吐水制御をスキップして止水状態を継続する。
【０１２５】
吐水制御は、第１信号ラインＬ１の開指令信号Ｓ１をアクティブにした後、所定の待機時間の後、開指令信号Ｓ１を非アクティブにすることにより行われる。この所定の待機時間としては、電磁弁７のソレノイドが閉状態から開状態に変化するのに十分な時間とし、例えば、電磁弁７のソレノイドが閉状態から開状態に変化するのに十分な時間が約２０ｍｓである場合には、前記所定の待機時間はこれに応じて例えば約２０ｍｓとする。
【０１２６】
次に、制御部１１２は、第１信号ラインＬ１に接続されているポートの電圧を取得し、当該電圧がハイレベルとローレベルのいずれの論理状態を示しているか判断する（Ｓ１３５）。
【０１２７】
ここで、制御部１１２は、ポートの電圧として開指令のアクティブを示すローレベルを検出した場合は（Ｓ１３５：Ｙｅｓ）、電源が遮断されたことを示す強制アクティブと判断してステップＳ１４０〜Ｓ１５５の処理を実行し、ポートの電圧がそれ以外の状態であれば（Ｓ１３５：Ｎｏ）、制御部１１２は、強制アクティブではないと判断してステップＳ１０５〜の処理を実行する。
【０１２８】
ステップＳ１３５において第１信号ラインＬ１が、開指令のアクティブを示すローレベルの電圧である場合（Ｓ１３５：Ｙｅｓ）、制御部１１２は、センサ１１１を停止させる（Ｓ１４０）。これにより、平滑コンデンサ１２４ｃに蓄えられている電気エネルギーの消費を極力抑制することが出来る。むろん、その他、電磁弁７の閉弁や制御部１１２を正常終了させるために必要な構成以外の構成についても、同様に停止することが出来る。
【０１２９】
次に、制御部１１２の制御下において水栓システム１を正常終了させるための各種シャットダウン処理を実行する（Ｓ１４５）。
【０１３０】
例えば、制御部１１２が、使用者の使用状況、検知情報、周囲環境の情報などを記憶・更新するような機能を備えている場合、これらの情報に係る処理を完結させるための処理を実行する。これにより、これらの情報の各種パラメータが電源の遮断によっても情報が揮発しない不揮発性メモリに記憶され、水栓システム１が動作再開したときに異常動作することを防止することができる。
【０１３１】
また、例えば、センサ１１１を停止させる。これにより、センサ１１１が電力を消費しなくなり、平滑コンデンサ１２４ｃに蓄積された電力の消費を抑制できる。また、その後、水栓システム１に再び電源供給されて動作開始したときに正常動作できるようになる。
【０１３２】
次に、制御部１１２は、吐水中であるか否かを判断する（Ｓ１５０）。吐水中の場合は（Ｓ１５０：Ｙｅｓ）、止水制御を実行して吐水を停止させ（Ｓ１５５）、止水中の場合は（Ｓ１５０：Ｎｏ）、ステップＳ１５５の止水制御をスキップして、ステップＳ１３５からの処理を再び実行する。これにより、電源の遮断が発生して水栓システム１が停止する前に、確実に止水状態としておくことができる。
【０１３３】
その後、ステップＳ１３５〜Ｓ１５５の処理を繰り返す中で、第１信号ラインＬ１が非アクティブを示すハイレベルに変化したことを検知した場合、すなわち電源の遮断が解消したことを検知した場合は（Ｓ１３５：Ｎｏ）、通常の電磁弁制御処理（Ｓ１０５〜Ｓ１３０）に復帰することになる。
【０１３４】
これにより、瞬停等のように電源が短時間だけ遮断された場合には、水栓システム１を完全に停止させずに再び動作させることができるため、これまでメモリなどに記憶していた情報をリセット消去せずに済む。
【０１３５】
むろん、ステップＳ１４０とステップＳ１４５の間に、所定の待機時間を設けて、この間に電源の遮断が解消された場合は、ステップＳ１４５〜Ｓ１５５の処理を行わずに、ステップＳ１０５〜の通常の吐止水を制御する処理に復帰するようにしてもよい。
【０１３６】
このようにすると、センサ１１１等における消費電力を抑制した低消費電力状態にして電力消費を抑えつつ停電からの復帰を待機し、短時間の電源の遮断であれば、制御部１１２を正常終了させるための処理や電磁弁７の閉駆動を行わずに通常の電磁弁制御処理（Ｓ１０５〜Ｓ１３０）に復帰し、短時間で電源の遮断が復帰しない場合は、制御部１１２を正常終了させるための処理や電磁弁７の閉駆動を行うことになる。
【０１３７】
以上説明したように、本実施形態に係る水栓システム１によれば、２本の信号線を用いて電磁弁７の閉駆動と開駆動を制御しつつ、電源回路１２４における電源の遮断を検知することが出来る。
【０１３８】
（３）第１実施形態の動作： 
以上のように構成された水栓システム１の動作を、図５〜１０を参照して説明する。図５〜１０は、電磁弁制御処理が様々な状況下で実行されたときの水栓システム１の動作を説明するためのタイミングチャートである。
【０１３９】
（３−１）通常動作時： 
図５は、電源の遮断が無い場合の水栓システム１の動作を示すタイミングチャートである。同図においては、電源の遮断は発生しておらず、物体の有無に応じて吐水と止水が行われている。
【０１４０】
同図において、物体が検出されると（ｔ１）、吐水制御が実行される（ｔ１〜ｔ２）。この吐水制御により、電磁弁７が開弁されるため、吐水口４ａからの水の吐出が開始される。
【０１４１】
その後、物体が無くなった事を検出すると（ｔ３）、止水制御が実行される（ｔ３〜ｔ４）。この止水制御により、電磁弁７が閉弁されるため、吐水口４ａからの水の吐出が停止される。
【０１４２】
（３−２）吐水中に電源の遮断が発生： 
図６は、吐水中に電源の遮断が発生した場合の水栓システム１の動作を示すタイミングチャートである。同図においては、吐水制御が完了してから止水制御が開始される前に電源の遮断が発生している（ｔ７）。
【０１４３】
同図においても、物体が検出されると（ｔ５）、制御部１１２は、吐水制御を実行する（ｔ５〜ｔ６）。これにより、電磁弁７が開弁されるため吐水状態になり、吐水口４ａからの水の吐出が開始される。
【０１４４】
その後、吐水継続中に電源の遮断が発生するため、開指令信号Ｓ１が強制的に非アクティブからアクティブに変化する（ｔ７）。同時に、開駆動信号Ｓ３も強制的に非アクティブに変化するが、もともと非アクティブであるため、図面上では論理状態が変化していない。
【０１４５】
制御部１１２は、開指令信号Ｓ１が強制的にアクティブに変化したことを検知すると、止水制御を実行する（ｔ７〜ｔ８）。これにより、電磁弁７が閉弁されて止水状態となり、吐水口４ａからの水の吐出が停止される。
【０１４６】
以上説明したように、本実施形態に係る水栓システム１においては、吐水中に発生した電源の遮断を検知可能であり、制御部１１２は、電源の遮断が発生した時に、所望のタイミングで電磁弁７を閉駆動して止水状態に変化させることができる。
【０１４７】
（３−３）吐水制御中に電源の遮断が発生： 
図７は、吐水制御中に電源の遮断が発生した場合の水栓システム１の動作を示すタイミングチャートである。同図においては、吐水制御が開始されてから吐水制御が完了までに電源の遮断が発生している（ｔ１０）。
【０１４８】
同図においても、物体が検出されると（ｔ９）、制御部１１２は、吐水制御を実行する（ｔ９〜ｔ１１）。ただし、図７に示す例では、制御部１１２が吐水制御を行っている最中に電源の遮断が発生している（ｔ１０）。すなわち、開指令信号Ｓ１が非アクティブからアクティブに変化するとともに開駆動信号Ｓ３が非アクティブからアクティブに変化して（ｔ９）、所定の待機時間の経過を待っているときに、電源の遮断が発生している（ｔ１０）。
【０１４９】
電源の遮断が発生すると（ｔ１０）、開指令信号Ｓ１は、電源遮断検出部１２３によって強制的にアクティブにされるが、もともと制御部１１２がアクティブに制御している期間であるため、制御部１１２は、この時点では強制アクティブを検出できない。
【０１５０】
同時に、開駆動信号Ｓ３も電源遮断検出部１２３によって強制的に非アクティブにされるため、本来よりも短時間で開駆動信号Ｓ３の吐水制御が中断される（ｔ１０）。ただし、電源の遮断が発生した時に、電磁弁７の開弁が完了しているか否かは不明であり、電磁弁７が閉弁したままの可能性もあるし電磁弁７が開弁されている可能性もある。
【０１５１】
制御部１１２は、吐水制御における本来の待機期間が経過すると、第１信号ラインＬ１の開指令信号Ｓ１をアクティブから非アクティブに変化させる制御を行う（ｔ１１）。ただし、第１信号ラインＬ１は、電源遮断検出部１２３によって強制アクティブされているためアクティブのままである。
【０１５２】
制御部１１２は、吐水制御が終了すると（ｔ１１）、第１信号ラインＬ１が接続されているポートの論理状態をチェックする。ここで、ポートの論理状態は、制御部１１２が制御した結果（非アクティブ）ではないアクティブになっているため、制御部１１２は、電源の遮断を検知し、止水制御を実行する（ｔ１２〜ｔ１３）。これにより、仮に吐水制御によって電磁弁７が開弁されていたとしても電磁弁７が閉弁されて止水状態となり、吐水口４ａからの水の吐出が停止される。
【０１５３】
以上のように、吐水制御中に電源の遮断が発生しても、電源遮断検出部１２３が開駆動信号Ｓ３を強制的に非アクティブに変化させて吐水制御を中断させるし、仮に電磁弁７が開弁されて吐水が開始された場合であっても、制御部１１２は吐水制御が終了した後にこれを検知して電磁弁７を止水状態に変化させるため、電源が遮断された後に吐水が継続されるおそれが無い。
【０１５４】
（３−４）止水制御中に電源の遮断が発生 
図８は、止水制御中に電源の遮断が発生した場合の水栓システム１の動作を示すタイミングチャートである。同図においては、吐水制御が完了した後、物体が検出されなくなったため止水制御が開始されているが、この止水制御の実行中に電源の遮断が発生している（ｔ１７）。
【０１５５】
同図においては、物体が検出されると（ｔ１４）、制御部１１２は、吐水制御を実行する（ｔ１４〜ｔ１５）。これにより、電磁弁７が開弁されて吐水状態になり、吐水口４ａからの水の吐出が開始される。
【０１５６】
その後、物体が無くなった事を検出すると（ｔ１６）、止水制御が開始される（ｔ１６〜ｔ１８）。ただし、閉指令信号Ｓ２が非アクティブからアクティブに変化するとともに閉駆動信号Ｓ４が非アクティブからアクティブに変化して（ｔ１６）、所定の待機時間の経過を待っているときに、電源の遮断が発生している（ｔ１７）。
【０１５７】
電源の遮断が発生すると（ｔ１７）、開指令信号Ｓ１は、電源遮断検出部１２３によって非アクティブから強制的にアクティブにされる。これにより、制御部１１２は、強制アクティブを検出する。
【０１５８】
同時に、開駆動信号Ｓ３も電源遮断検出部１２３によって強制的に非アクティブにされるが（ｔ１７）、開駆動信号Ｓ３はもともと非アクティブであるため、同図においては、論理状態が変化していない。
【０１５９】
このとき、制御部１１２は、閉指令信号Ｓ２や閉駆動信号Ｓ４の制御を変えず、通常の止水制御をそのまま継続する（ｔ１７〜ｔ１８）。これにより、電磁弁７が閉弁されて止水状態となり、吐水口４ａからの水の吐出が停止される。
【０１６０】
以上のように、止水制御中に電源の遮断が発生しても、制御部１１２はそのまま止水制御を継続して電磁弁７を止水状態に変化させるため、電源が遮断された後に吐水が継続されるおそれが無い。
【０１６１】
（３−５）吐水中に電源の遮断が発生： 
図９は、吐水中に電源の遮断が発生した場合における水栓システム１の動作の第２の例を示すタイミングチャートである。同図においては、吐水制御が完了してから止水制御が開始される前までに電源の遮断が発生している（ｔ２１）。なお、図９には、センサ駆動に係るタイミングチャートも併記してあり、電源の遮断を検出したときに、所定処理として、センサ駆動を停止する処理を行うようにしてある。
【０１６２】
同図においても、物体が検出されると（ｔ１９）、制御部１１２は、吐水制御を実行する（ｔ１９〜ｔ２０）。これにより、電磁弁７が開弁されるため吐水状態になり、吐水口４ａからの水の吐出が開始される。
【０１６３】
その後、吐水継続中に電源が遮断されているため、開指令信号Ｓ１が強制的に非アクティブからアクティブに変化する（ｔ２１）。同時に、開駆動信号Ｓ３も強制的に非アクティブに変化するが（ｔ２１）、もともと非アクティブであるため、図面上では論理状態が変化していない。
【０１６４】
制御部１１２は、開指令信号Ｓ１が強制的に非アクティブに変化したことを検知すると、止水制御を実行する前に、各種の処理（電磁弁制御処理におけるステップＳ１４０，Ｓ１４５の処理）を実行する（ｔ２１〜ｔ２２）。本タイミングチャートでは、各種の処理の１例としてセンサ駆動を停止する処理を行っている。これにより、制御部１１２は、各種の処理を十分な駆動電圧が供給されている状態で実行できる。
【０１６５】
その後、各種の処理が完了した後で電磁弁７の駆動を伴う止水制御を実行することにより（ｔ２２〜ｔ２３）、電磁弁７が閉弁されて止水状態となり（ｔ２３）、吐水口４ａからの水の吐出が停止される。
【０１６６】
このように、電磁弁７の閉弁を行うタイミングを制御することにより、制御部１１２は、十分な駆動電圧を供給された状態で各種の処理を実行する事が出来る。よって、次に起動したときに水栓システム１が異常動作するおそれが無い。むろん、電源が遮断された後に吐水が継続されるおそれも無い。
【０１６７】
（３−６）吐水中に電源の瞬停が発生：
図１０は、吐水中に電源の瞬停が発生した場合における水栓システム１の動作を示すタイミングチャートである。同図においては、吐水制御が開始されてから吐水制御が完了までに電源の瞬停が発生している（ｔ２５〜ｔ２６）。なお、図１０には、瞬停のタイミングを示すために、電源の遮断状態を示すタイミングチャートも併記してある。
【０１６８】
同図においても、物体が検出されると（ｔ２４）、制御部１１２は、吐水制御を実行する（ｔ２４〜ｔ２７）。ただし、図１０に示す例では、制御部１１２が吐水制御を行っている最中に電源の瞬停が発生している（ｔ２５〜ｔ２６）。すなわち、開指令信号Ｓ１が非アクティブからアクティブに変化するとともに開駆動信号Ｓ３が非アクティブからアクティブに変化して（ｔ２４）、所定の待機時間の経過を待っているときに、電源の遮断が発生している（ｔ２５）。
【０１６９】
電源の遮断が発生すると（ｔ２５）、開指令信号Ｓ１は、電源遮断検出部１２３によって強制的にアクティブにされるが、もともと制御部１１２がアクティブに制御している期間であるため、制御部１１２は、この時点では強制アクティブを検出できない。
【０１７０】
同時に、開駆動信号Ｓ３も電源遮断検出部１２３によって強制的に非アクティブにされるため、本来よりも短時間で開駆動信号Ｓ３の吐水制御が中断される（ｔ２５）。ただし、電源の遮断が発生した時に、電磁弁７の開弁が完了しているか否かは不明であり、電磁弁７が閉弁したままの可能性もあるし電磁弁７が開弁されている可能性もある。
【０１７１】
ここで、図１０に示す例では、制御部１１２の吐水制御における本来の待機時間が経過する前に電源の遮断が解除されるため、制御部１１２が本来の吐水制御を終えて第１信号ラインＬ１が接続されているポートの論理状態をチェックした時には、電源の遮断が解消されている。
【０１７２】
ただし、電源遮断検出部１２３は、電源の遮断を検出すると、その後、電源の遮断が解除されても所定時間が経過するまで遮断検出出力を継続するようになっている（ｔ２６〜ｔ３０）。この所定時間は、上述したように、制御部１１２が電磁弁７を開弁させるために実行する吐水制御に要する時間よりも十分に長い時間に設定されている。
【０１７３】
すなわち、制御部１１２が本来の吐水制御を終えて（ｔ２７）、第１信号ラインＬ１が接続されているポートの論理状態をチェックした時には、電源の遮断は解消されているものの、ポートの論理状態は、制御部１１２が制御した結果（非アクティブ）ではないアクティブになっている（ｔ２８）。
【０１７４】
これにより、制御部１１２は、電源の遮断を検知し、止水制御を実行する（ｔ２８〜ｔ２９）。これにより、仮に吐水制御によって電磁弁７が開弁されていたとしても電磁弁７が閉弁されて止水状態となり、吐水口４ａからの水の吐出が停止される。
【０１７５】
以上のように、吐水制御中に瞬停が発生しても、電源遮断検出部１２３が開駆動信号Ｓ３を強制的に非アクティブに変化させて吐水制御を中断させるとともに、瞬停から電源が復帰した後も遮断検出出力が所定時間だけ継続する。これにより、制御部１１２は吐水制御が終了した後に瞬停を検知して、電磁弁７を止水状態に変化させて吐水を停止することができる。
【０１７６】
（４）水栓システムの回路構成の他の例： 
図１１及び図１２は、水栓システム１の回路構成の他の例を示す回路図である。
図１１に示す回路構成の例では、ロジックＩＣ１２３ａの第２端子１２３ａ２が開駆動制御回路１２１ａに直接に接続されている。
【０１７７】
図１１に示すように、開駆動制御回路１２１ａは、ＰＮＰ型のトランジスタ１２１ａ１を備え、開駆動制御回路１２１ａに接続される弁駆動回路１２２の反転回路は、ＮＰＮ型のトランジスタ１２２ｃを備えている。トランジスタ１２１ａ１は、ベースが第１信号ラインＬ１に接続され、エミッタが抵抗を介して所定の定電圧ラインに接続され、コレクタがトランジスタ１２２ｃのベースに接続されている。また、トランジスタ１２１ａ１のエミッタとベースは、抵抗により接続されている。一方、トランジスタ１２２ｃは、エミッタがグランドに接続されている。なお、トランジスタ１２１ａ１とトランジスタ１２２ｃにおいては、エミッタとベースが抵抗を介して接続してある。
【０１７８】
このように接続されたトランジスタ１２１ａ１のコレクタは、弁駆動回路１２２の開駆動に係るＦＥＴ１２２ａのゲートに接続され、トランジスタ１２２ｃのコレクタは、弁駆動回路１２２の開駆動に係るＦＥＴ１２２ｂのゲートに接続されている。
【０１７９】
ここで、トランジスタ１２１ａ１のエミッタには、ロジックＩＣ１２３ａの第２端子１２３ａ２が接続されており、第２端子１２３ａ２の出力する論理信号によってトランジスタ１２１ａ１のエミッタの電位、すなわち第３信号ラインＬ３の論理状態が制御される。より具体的には、トランジスタ１２１ａ１のコレクタ電位はエミッタ電位によって決まるため、エミッタ電位を操作することで、間接的に第３信号ラインＬ３の論理状態が制御される。
【０１８０】
まず、電源回路１２４の電源が遮断されていない時は、第２端子１２３ａ２から出力されるハイレベルの電圧は、トランジスタ１２１ａ１，１２２ｃの動作に特に影響せず、トランジスタ１２１ａ１，１２２ｃは、第１信号ラインＬ１を介して入力される開指令信号Ｓ１に応じて動作する。
【０１８１】
一方、電源回路１２４の電源が遮断されている時は、第２端子１２３ａ２から出力されるローレベルの電圧によってトランジスタ１２１ａ１がオフし、これによりトランジスタ１２２ｃもオフする。トランジスタ１２２ｃについては、ベースの電圧源となるトランジスタ１２１ａ１のエミッタ電位がローレベルに固定されるために強制的にオフとなる。さらに、第２端子１２３ａ２から出力されるローレベルの電圧は、トランジスタ１２１ａ１のエミッタとベースを接続している抵抗を介して、第１信号ラインＬ１に伝送される。
【０１８２】
すなわち、電源遮断検出部１２３の出力するローレベルの遮断検出出力によって、第１信号ラインＬ１に出力される開指令信号Ｓ１は強制的にアクティブ（ローレベル）にされ、第３信号ラインＬ３に出力される開駆動信号Ｓ３は、強制的に非アクティブ（ローレベル）にされる。
【０１８３】
以上説明したように、図１１に係る回路構成を採用すれば、ロジックＩＣ１２３ａの第２端子１２３ａ２から出力される信号を用いて、１本のラインで、第１信号ラインＬ１を強制的にアクティブにする制御と第３信号ラインＬ３を強制的に非アクティブにする制御とを実現できる。よって、回路構成を簡素化することが出来る。
【０１８４】
また、図１２に示す電源遮断検出部２２３は、ロジックＩＣを用いずに実現してある。なお、同図には、電源遮断検出部２２３と第１信号ラインＬ１や第３信号ラインＬ３とを、図１１と同様の接続関係としてあるが、むろん、図３に示す接続関係を採用してもよい。
【０１８５】
図１２において、電源遮断検出部２２３は、電源回路１２４のスイッチングトランス１２４ａの二次巻線の出力端子Ｔ１の電圧を分割抵抗により分圧する分圧回路２２３ａと、分割抵抗の分割点の電圧から周期成分を除去して平滑化する平滑回路２２３ｂと、分割抵抗の分割点の電圧に応じてローレベルの電圧を出力するトランジスタ回路２２３ｃと、を備える。
【０１８６】
平滑回路２２３ｂは、ダイオード２２３ｂ１、ダイオード２２３ｂ２、抵抗２２３ｂ３、及び電解コンデンサ２２３ｂ４を備えている。ダイオード２２３ｂ１は、カソードが、分圧回路２２３ａの分割抵抗の分割点に接続され、ダイオード２２３ｂ２は、アノードが抵抗２２３ｂ３を介して、分圧回路２２３ａの分割抵抗の分割点に接続されている。ダイオード２２３ｂ１のアノード及びダイオード２２３ｂ２のカソードは、電解コンデンサ２２３ｂ４の正極に接続されている。電解コンデンサ２２３ｂ４の負極はグランドに接続されている。すなわち、２つのダイオードを逆向きで並列接続し、一方の接続部とグランドの間を電解コンデンサで接続し、他方の接続部には、分圧回路２２３ａの分割抵抗の分割点に接続してある。
【０１８７】
これにより、電源回路１２４の出力レベルが一定レベル以上であれば、電源遮断検出部２２３は、特に何も出力せず、電源回路１２４の出力レベルが一定レベルを下回ると、ローレベルの電圧信号を出力する。よって、第１信号ラインＬ１や第３信号ラインＬ３の論理を図１０に示す回路と同様に制御することが出来る。
【０１８８】
また、瞬停によって電源回路１２４の出力が遮断されて出力レベルが一定レベルを下回ると、その後、電源回路１２４の出力端子Ｔ１の電圧が上述した一定レベル以上に回復しても、平滑回路２２３ｂの抵抗２２３ｂ３の作用により、分割抵抗の分割点の電圧は、所定時間が経過するまでは、トランジスタ回路２２３ｃのトランジスタ２２３ｃ１のターンオン電圧まで上昇しないようになっている。
【０１８９】
この所定時間は、上述した実施形態に係る遅延回路１２３ａ３と同様に、制御部１１２が電磁弁７を開弁させるために実行する吐水制御に要する時間よりも十分に長い時間に設定されている。
【０１９０】
すなわち、電源遮断検出部２２３は、電源回路１２４の電源が遮断されてローレベルの電圧信号の出力を開始すると、その後、電源の遮断が解消しても、所定時間が経過するまではローレベルの電圧信号の出力を継続する。よって、制御部１１２は、図１２に示す電源遮断検出部２２３を採用した場合にも、吐水中に発生した瞬停を検知して、各種の処理を実行することが出来る。
【０１９１】
（５）まとめ： 
以上説明したように、本実施形態に係る水栓システム１によれば、電源遮断検出部１２３は、電源の遮断時には、第１信号ラインＬ１の開指令信号Ｓ１をアクティブに制御し、且つ、第３信号ラインＬ３の開駆動信号Ｓ３を非アクティブに制御する。これにより、電源の遮断時には、電磁弁７が開弁されることを回避しつつ、制御部１１２は、所望のタイミングで電磁弁の閉弁を行う事が出来る。
【０１９２】
なお、本発明は上述した実施形態や変形例に限られず、上述した実施形態および変形例の中で開示した各構成を相互に置換したり組み合わせを変更したりした構成、公知技術並びに上述した実施形態および変形例の中で開示した各構成を相互に置換したり組み合わせを変更したりした構成、等も含まれる。また，本発明の技術的範囲は上述した実施形態に限定されず，特許請求の範囲に記載された事項とその均等物まで及ぶものである。
【符号の説明】
【０１９３】
１…水栓システム、２…洗面器、２ａ…ボール面、３…洗面カウンタ、４…水栓、４ａ…吐水口、５…給水路、６…排水路、７…電磁弁、８…接続ケーブル、１１…センサ部、１２…コントローラ部、１１１…センサ、１１２…制御部、１２１…駆動制御部、１２１ａ…開駆動制御回路、１２１ｂ…閉駆動制御回路、１２１ａ１…トランジスタ、１２２…弁駆動回路、１２２ａ，１２２ｂ…ＦＥＴ、１２２ｃ…トランジスタ、１２３…電源遮断検出部、１２３ａ…ロジックＩＣ、１２３ａ１…第１端子、１２３ａ２…第２端子、１２３ａ３…遅延回路、１２３ｂ…矩形波生成回路、１２３ｂ１…トランジスタ、１２３ｂ２…保護抵抗、１２３ｂ３…分圧回路、１２３ｂ４…電解コンデンサ、１２３ｃ…変換回路、１２４…電源回路、１２４ａ…スイッチングトランス、１２４ｂ…ダイオードブリッジ回路、１２４ｃ…平滑コンデンサ、１２４ｄ…レギュレータ、２２３…電源遮断検出部、２２３ａ…分圧回路、２２３ｂ…平滑回路、２２３ｂ１…ダイオード、２２３ｂ２…ダイオード、２２３ｂ３…抵抗、２２３ｂ４…電解コンデンサ、２２３ｃ…トランジスタ回路、２２３ｃ１…トランジスタ、ＡＣ…交流電源、Ｌ１…第１信号ライン、Ｌ２…第２信号ライン、Ｌ３…第３信号ライン、Ｌ４…第４信号ライン、Ｌ５…電源ライン、Ｌ６…ＧＮＤライン
【図１】
0005849788.tif 000002
【図２】
0005849788.tif 000003
【図３】
0005849788.tif 000004
【図４】
0005849788.tif 000005
【図５】
0005849788.tif 000006
【図６】
0005849788.tif 000007
【図７】
0005849788.tif 000008
【図８】
0005849788.tif 000009
【図９】
0005849788.tif 000010
【図１０】
0005849788.tif 000011
【図１１】
0005849788.tif 000012
【図１２】
0005849788.tif 000013